(57)【要約】【課題】ウエルドラインを目立たなくして、外見上の見栄えの向上を図った表示用の透明基板を提供する。【解決手段】透明基板３０は、成形金型に溶融材料を充てんして成形している。透明基板３０の背面には凹状の目盛り４２が設けられている。溶融材料が合流することにより形成されるウエルドラインＷが、凹状の目盛り４２と重なるように発生されている。【選択図】図３
2008062422.tif 000002
【特許請求の範囲】
【請求項１】
成形金型内に溶融材料を充てんして成形した、正面及び／又は背面に凹状及び／又は凸状の表示体が設けられた表示用の透明基板において、
前記溶融材料が合流することにより形成されるウエルドラインが、前記凹状及び／又は凸状の表示体と重なるように発生させていることを特徴とする表示用の透明基板。
【請求項２】
前記凹状及び／又は凸状の表示体が、長尺状の目盛りで構成され、そして、
前記ウエルドラインが、前記長尺状の目盛りの長手方向に沿って当該目盛りと重なるように発生させていることを特徴とする請求項１記載の表示用の透明基板。
【発明の詳細な説明】
【技術分野】
【０００１】
本発明は、表示用の透明基板に係り、特に、成形金型内に溶融材料を充てんして形成した、正面及び／又は背面に凹状及び／又は凸状の表示体が設けられた表示用の透明基板に関するものである。
【背景技術】
【０００２】
上述した表示用の透明基板としては、例えば車両に搭載されたスピードメータや、タコメータなどの表示装置に用いられるものが知られている。この表示装置に用いられる透明基板には、その表面及び／又は背面に凹状及び／又は凸状の目盛りなどの表示体が設けられている。
【０００３】
そして、透明基板内に光を入射すると、その光が透明基板内を導光する。透明基板内を導光した光は、凹状及び／又は凸状の表示体で反射して運転者視点に届く。これにより、凹状及び／又は凸状の表示体が光輝して視認される。
【０００４】
上述した透明基板は、成形金型内に溶融材料を充てんする射出成形により成形されている。このため必ずウエルドラインが発生してしまう。ウエルドラインとは、溶融材料が成形金型内を分岐するように流れた後に、再度合流して接合する部位に形成される接合痕である。このウエルドラインにより外見上の見栄えを損なうという問題がある。
【０００５】
そこで、例えば、視認されない位置にウエルドラインを発生させるなどが考えられている。しかしながら、円盤状の透明基板のように、視認されない位置にウエルドラインを発生させることが難しいものには適用できなかった。
【特許文献１】特開２００３−１５４５５０号公報
【特許文献２】特開２０００−１０８１６７号公報
【発明の開示】
【発明が解決しようとする課題】
【０００６】
そこで、本発明は、上記のような問題点に着目し、ウエルドラインを目立たなくして、外見上の見栄えの向上を図った表示用の透明基板を提供することを課題とする。
【課題を解決するための手段】
【０００７】
本発明者らは、ウエルドラインの位置を色々検討したところ、ウエルドラインを目立たなくして、外見上の見栄えの向上を図ることを見いだして、本発明を完成するに至った。
【０００８】
即ち、請求項１記載の発明は、成形金型内に溶融材料を充てんして成形した、正面及び／又は背面に凹状及び／又は凸状の表示体が設けられた表示用の透明基板において、前記溶融材料が合流することにより形成されるウエルドラインが、前記凹状及び／又は凸状の表示体と重なるように発生させていることを特徴とする表示用の透明基板に存する。
【０００９】
請求項１記載の発明によれば、ウエルドラインが、凹状及び／又は凸状の表示体と重なるように発生させているので、ウエルドラインが目立たなくなる。
【００１０】
請求項２記載の発明は、前記凹状及び／又は凸状の表示体が、長尺状の目盛りで構成され、そして、前記ウエルドラインが、前記長尺状の目盛りの長手方向に沿って当該目盛りと重なるように発生させていることを特徴とする請求項１記載の表示用の透明基板に存する。
【００１１】
請求項２記載の発明によれば、ウエルドラインが、長尺状の目盛りの長手方向に沿ってその目盛りと重なるように発生させているので、より一層、ウエルドラインが目立たなくなる。
【発明の効果】
【００１２】
以上説明したように請求項１記載の発明によれば、ウエルドラインが目立たなくなり、外見上の見栄えの向上を図ることができる。
【００１３】
請求項２記載の発明によれば、より一層、ウエルドラインが目立たなくなるので、より一層、外見上の見栄えの向上を図ることができる。
【発明を実施するための最良の形態】
【００１４】
以下、本発明の一実施の形態を図面に基づいて説明する。図１は、本発明の表示用の透明基板を組み込んだコンビネーションメータである。図２は、図１に示すコンビネーションメータの文字板を除いた状態での部分正面図である。図３は、図１に示すコンビネーションメータのＩ−Ｉ線部分断面図である。図４は、図１に示すコンビネーションメータの部分拡大図である。
【００１５】
このコンビネーションメータ１は、例えば車両のインストルメントパネルに取り付けられる。コンビネーションメータ１には、車両の速度を指示する速度計２１（表示装置）と、車両のエンジン回転数を指示する回転計２２（表示装置）と、走行距離などの各種情報を表示する液晶ディスプレイ（ＬＣＤ）２３と、ウォーニング２４とが設けられている。
【００１６】
コンビネーションメータ１は、速度計２１、回転計２２、ＬＣＤ２３及びウォーニング２４を収容するケーシング２５と、ケーシング２５の正面に取り付けられた見返し２６と、ケーシング２５、見返し２６の正面に取り付けられた表ガラス２７と、ケーシング２５の背面側に設けられた配線板２８（図３）とを有している。
【００１７】
上記見返し２６は、上記速度計２１、回転計２２、ＬＣＤ２３及びウォーニング２４に対向する部分に開口が設けられ、ケーシング２５内に収容された配線板２８や内機などを隠す。
【００１８】
次に、上記速度計２１の構成について説明する。なお、回転計２２については、速度計２１とほぼ同様の構成であるためここでは説明を省略する。速度計２１は、文字板２９と、略円盤状の透明基板３０と、目盛背景板３１と、指針３２と、ウォーニング３３と、複数の指針用光源Ｌ１と、複数の文字板用光源Ｌ２とを有している。
【００１９】
複数の指針用光源Ｌ１は、図２に示すように、指針軸３４を囲むように配線板２８上に配置されている。複数の文字板用光源Ｌ２は、指針用光源Ｌ１を囲むように配線板２８上に配置されている。指針用光源Ｌ１の周りには、ケーシング２５によって遮光壁が形成されており、指針用光源Ｌ１の光が透明基板３０に入射したり、文字板用光源Ｌ２の光が指針３２に入射したりしないようになっている。また、上記配線板２８には、発光して表示する複数のウォーニング３３が配置されている。各ウォーニング３３の周りにはケーシング２５によって遮光壁が形成されており、ウォーニング３３の光が透明基板３０に入射されないようになっている。
【００２０】
上記文字板２９は、円盤状であり、その外周に沿って車両の速度を示す数字（＝指標）が形成されている。文字板２９は、指針３２の指針軸３４用の開口部３５と、ウォーニング３３用の開口３６とが設けられている。
【００２１】
文字板２９は、図３に示すように、透明基板３７と、透明基板３７の正面に設けた装飾印刷層３８と、装飾印刷層３８の正面に設けた文字板遮光層としての遮光層３９とを有している。上記透明基板３７は、円盤状に設けられている。上記透明基板３７は、後述する目盛部としての目盛リング部４１を覆うように設けられている。
【００２２】
上記装飾印刷層３８は、上記指標に相当する部分、後述する透明基板３０の目盛リング部４１に対向する部分が除かれて設けられている。上記遮光層３９は、上記指標に相当する部分、後述する目盛リング部４１に対向する部分に加え、装飾ラインＬに相当する部分が除かれて設けられている。
【００２３】
透明基板３０は、上記文字板２９の背面側に設けられている。透明基板３０は、導光部４０と、目盛リング部４１とを有している。導光部４０は、文字板用光源Ｌ２からの光を導光する。目盛リング部４１は、この導光部４０の外周に連なって設けられている。目盛リング部４１は、背面に凹状の複数の目盛り４２（＝表示体）が文字板２９上の指標に沿って形成されている。目盛り４２は長尺状に形成されている。この透明基板３０は、内周側がケーシング２５に支持され、外周側が後述する目盛背景板３１に支持されている。
【００２４】
目盛背景板３１は、目盛リング部４１の背景色を有している。目盛背景板３１は、上記目盛リング部４１に沿ってケーシング２５上に配置されている。上記目盛背景板３１は、透明基板３０の目盛リング部４１の背面に透明基板３０と離間して配置されている。目盛背景板３１は、文字板２９上の指標から離れるに従って透明基板３０に近づくテーパ４３が設けられている。
【００２５】
上記目盛リング部４１は、文字板２９の装飾印刷層３８も遮光層３９も形成されていない部分の背面に配置される。これにより、目盛リング部４１が、文字板２９の透明基板３７を通して正面から視認可能となる。上記指針３２は、導光部材から構成されており、指針用光源Ｌ１からの光が導かれる。上述した透明基板３０は、図４に示すように、ウエルドラインＷが、長尺状の目盛り４２の長手方向に沿ってその目盛り４２と重なるように発生させている。
【００２６】
次に、この透明基板３０の成形方法について、以下説明する。透明基板３０は、図示しない成形金型に溶融材料を射出（充てん）して射出成形される。成形金型は、透明基板３０の形状に応じた空洞部と、この空洞部に溶融材料を充てんするためのランナーと、このランナーに連なったゲートとを有している。そして、溶融材料を成形金型のランナーを通してゲートから空洞部に射出して透明基板３０を成形する。
【００２７】
上述したウエルドラインＷの発生位置は、例えば透明基板の板厚、成形金型内のゲートの位置、ランナーの形状、成形金型の温度、成形金型内への溶融材料の射出量などを調整することによって制御できることは一般に知られている。
【００２８】
上述した成形金型は、ウエルドラインＷが目盛り４２と重なって発生するように透明基板の板厚、ゲートの位置、ランナーの形状などが調整されている。そして、ウエルドラインＷが目盛り４２と重なって発生するような成形金型の温度、射出量で成形金型内へ溶融材料を射出する。
【００２９】
上述した透明基板３０によれば、ウエルドラインＷが、長尺状の目盛り４２の長手方向に沿ってその目盛り４２と重なるように発生させている。このため、図４中の点線で示す従来のように目盛り４２と重ならない位置にウエルドラインＷが発生する場合に比べて、ウエルドラインＷが目立たなくなり、外見上の見栄えの向上を図ることができる。
【００３０】
なお、上述した実施形態によれば、表示体としては長尺状の目盛り４２であったが、本発明はこれに限ったものではない。表示体としては透明基板３０の正面又は背面に凹状、凸状に形成されたものであればよく、例えば装飾模様であったり、数字などであってもよい。また、ウエルドラインＷの発生位置を最高目盛又は０目盛位置である端部とすることにより目立たなくしてもよい。
【００３１】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３２】
【図１】本発明の表示用の透明基板を組み込んだコンビネーションメータである。
【図２】図１に示すコンビネーションメータの文字板を除いた状態での部分正面図である。
【図３】図１に示すコンビネーションメータのＩ−Ｉ線部分断面図である。
【図４】図１に示すコンビネーションメータの部分拡大図である。
【符号の説明】
【００３３】
３０  透明基板
４２  目盛り（表示体）
Ｗ    ウエルドライン
【図１】
2008062422.tif 000003
【図２】
2008062422.tif 000004
【図３】
2008062422.tif 000005
【図４】
2008062422.tif 000006